【手続補正書】
【提出日】平成24年12月12日(2012.12.12)
【手続補正１】
【補正対象書類名】明細書
【補正対象項目名】０００１
【補正方法】変更
【補正の内容】
【０００１】
本発明は、切り抜きの形状を表す画像を処理する画像処理装置及び画像処理プログラム、並びにシール製造システムに関する。
【手続補正２】
【補正対象書類名】明細書
【補正対象項目名】０００５
【補正方法】変更
【補正の内容】
【０００５】
そこで、本発明は、このような点に鑑み、その目的とするところは、切り抜きの形状を表す画像を適切に補正することができる画像処理装置及び画像処理プログラム、並びにシール製造システムを提供することにある。
【手続補正３】
【補正対象書類名】明細書
【補正対象項目名】０００６
【補正方法】変更
【補正の内容】
【０００６】
上記目的を達成するため、本発明の第一の観点に係る画像処理装置は、
切り抜き対象となる画像の一領域である切り抜き部分の形状を表すデータを取得するデータ取得手段と、
前記データ取得手段が取得した前記データで表される切り抜き部分の形状において第１の値より幅の狭い画像部分があるか否かを判定する判定手段と、
前記判定手段により前記第１の値より幅の狭い画像部分があると判定された場合に、その判定された画像部分の幅を、第２の値だけ広くすることで前記切り抜き部分の形状を補正する領域補正手段と、を備えることを特徴としている。
【手続補正４】
【補正対象書類名】明細書
【補正対象項目名】０００７
【補正方法】変更
【補正の内容】
【０００７】
また上記目的を達成するため、本発明の第二の観点に係る画像処理プログラムは、
コンピューターを、
切り抜き対象となる画像の一領域である切り抜き部分の形状を表すデータを取得するデータ取得手段、
前記データ取得手段が取得した前記データで表される切り抜き部分の形状において第１の値より幅の狭い画像部分があるか否かを判定する判定手段、
前記判定手段により前記第１の値より幅の狭い画像部分があると判定された場合に、その判定された画像部分の幅を、第２の値だけ広くすることで前記切り抜き部分の形状を補正する領域補正手段、
として機能させることを特徴としている。
【手続補正５】
【補正対象書類名】明細書
【補正対象項目名】０００８
【補正方法】変更
【補正の内容】
【０００８】
更に、上記目的を達成するため、本発明の第三の観点に係るシール製造システムは、
切り抜き対象となる画像の一領域である切り抜き部分の形状を表すデータを取得するデータ取得手段と、
前記データ取得手段が取得した前記データで表される切り抜き部分の形状において第１の値より幅の狭い画像部分があるか否かを判定する判定手段と、
前記判定手段により前記第１の値より幅の狭い画像部分があると判定された場合に、その判定された画像部分の幅を、第２の値だけ広くすることで前記切り抜き部分の形状を補正する領域補正手段と、
前記領域補正手段が補正した前記切り抜き部分の形状に基づいて前記画像からシールを製造するシール製造手段と、を備えることを特徴としている。
【手続補正６】
【補正対象書類名】明細書
【補正対象項目名】０００９
【補正方法】変更
【補正の内容】
【０００９】
本発明に係る画像処理装置及び画像処理プログラム並びにシール製造システムによれば、切り抜きの形状を表す画像を適切に補正することができる。
【手続補正７】
【補正対象書類名】特許請求の範囲
【補正対象項目名】全文
【補正方法】変更
【補正の内容】
【特許請求の範囲】
【請求項１】
切り抜き対象となる画像の一領域である切り抜き部分の形状を表すデータを取得するデータ取得手段と、
前記データ取得手段が取得した前記データで表される切り抜き部分の形状において第１の値より幅の狭い画像部分があるか否かを判定する判定手段と、
前記判定手段により前記第１の値より幅の狭い画像部分があると判定された場合に、その判定された画像部分の幅を、第２の値だけ広くすることで前記切り抜き部分の形状を補正する領域補正手段と、
を備えることを特徴とする画像処理装置。
【請求項２】
前記データ取得手段が取得した前記データで表される前記切り抜き部分の輪郭線の位置を、第３の値だけ内側へ補正した領域へ、前記切り抜き部分の形状を縮小する領域縮小手段を更に備え、
前記判定手段は、前記領域縮小手段により縮小された前記切り抜き部分の形状が分断されたか否かで、縮小前の切り抜き部分の形状において前記第１の値より幅の狭い画像部分があるか否かを判定することを特徴とする請求項１に記載の画像処理装置。
【請求項３】
前記判定手段は、前記領域縮小手段によって縮小される前の前記切り抜き部分の形状を構成する連続領域の数と、縮小された後の前記切り抜き部分の形状を構成する連続領域の数とに基づいて、前記領域縮小手段によって前記切り抜き部分の形状が分断されたか否かを判定し、
前記領域補正手段は、前記領域縮小手段によって前記切り抜き部分の形状が分断されたと前記判定手段が判定した場合に、前記データで表される前記切り抜き部分の形状を補正することを特徴とする請求項２に記載の画像処理装置。
【請求項４】
前記第３の値は、前記画像を前記切り抜き部分の形状を表すデータで切り抜く際のマージンであることを特徴とする請求項２又は３に記載の画像処理装置。
【請求項５】
前記領域補正手段による補正後の切り抜き部分の形状を表すデータを、前記切り抜き対象となる画像を印刷して切り抜く場合の切り抜きのマスクデータとして出力する出力手段を更に備えることを特徴とする請求項２から４のいずれか一項に記載の画像処理装置。
【請求項６】
前記領域縮小手段は、前記データ取得手段が取得した前記データで表される前記切り抜き部分の形状の前記輪郭線を表示する表示線の幅を前記第３の値に基づいて前記輪郭線よりも内側に太くすることで、前記切り抜き部分の形状を縮小することを特徴とする請求項２から５のいずれか一項に記載の画像処理装置。
【請求項７】
前記領域縮小手段は、前記切り抜き部分の形状から前記表示線と重なった領域を取り除くことで、前記切り抜き部分の形状を縮小することを特徴とする請求項６に記載の画像処理装置。
【請求項８】
前記領域縮小手段は、前記表示線の色を、前記切り抜き部分の形状を表すデータの背景色に設定することで、前記切り抜き部分の形状を縮小することを特徴とする請求項６に記載の画像処理装置。
【請求項９】
前記領域補正手段は、前記データ取得手段が取得した前記データで表される前記切り抜き部分の形状の前記輪郭線を表示する表示線の幅を前記輪郭線よりも前記第２の値に基づいて外側に太くすることで、前記切り抜き部分の形状を補正することを特徴とする請求項２から８のいずれか一項に記載の画像処理装置。
【請求項１０】
前記領域補正手段は、前記切り抜き部分の形状に対して前記表示線で表される領域を追加することで、前記切り抜き部分の形状を補正することを特徴とする請求項９に記載の画像処理装置。
【請求項１１】
前記領域補正手段は、前記表示線の色を、前記切り抜き部分の形状を表すデータの色に設定することで、前記切り抜き部分の形状を補正することを特徴とする請求項９に記載の画像処理装置。
【請求項１２】
前記判定手段は、前記領域縮小手段によって縮小された前記切り抜き部分の形状をＳＶＧ形式で表すデータを生成すると共に、前記ＳＶＧ形式の前記データに含まれるパスの数に基づいて前記切り抜き部分の形状を構成する前記連続領域の前記数を算出することを特徴とする請求項３に記載の画像処理装置。
【請求項１３】
前記領域縮小手段による縮小によって前記データで表される前記切り抜き部分の形状が分断されると、前記領域縮小手段は、前記領域補正手段によって補正された前記切り抜き部分の形状の輪郭線の位置を前記第３の値だけ内側へ補正した領域へ縮小し、
補正された前記切り抜き部分の形状が前記領域縮小手段によって分断されると、前記領域補正手段は、補正された前記切り抜き部分の形状の前記輪郭線の位置をさらに外側に補正し、
補正された前記切り抜き部分の形状が前記領域縮小手段によって分断されないと、補正された前記切り抜き部分の形状を切り抜きの形状を表す領域として確定する領域確定手段を、さらに備えることを特徴とする請求項２から４のいずれか一項に記載の画像処理装置。
【請求項１４】
コンピューターを、
切り抜き対象となる画像の一領域である切り抜き部分の形状を表すデータを取得するデータ取得手段、
前記データ取得手段が取得した前記データで表される切り抜き部分の形状において第１の値より幅の狭い画像部分があるか否かを判定する判定手段、
前記判定手段により前記第１の値より幅の狭い画像部分があると判定された場合に、その判定された画像部分の幅を、第２の値だけ広くすることで前記切り抜き部分の形状を補正する領域補正手段、
として機能させることを特徴とする画像処理プログラム。
【請求項１５】
切り抜き対象となる画像の一領域である切り抜き部分の形状を表すデータを取得するデータ取得手段と、
前記データ取得手段が取得した前記データで表される切り抜き部分の形状において第１の値より幅の狭い画像部分があるか否かを判定する判定手段と、
前記判定手段により前記第１の値より幅の狭い画像部分があると判定された場合に、その判定された画像部分の幅を、第２の値だけ広くすることで前記切り抜き部分の形状を補正する領域補正手段と、
前記領域補正手段が補正した前記切り抜き部分の形状に基づいて前記画像からシールを製造するシール製造手段と、を備えることを特徴とするシール製造システム。